(57)【要約】【課題】多機能化されるトイレ装置で、使用しようとしている機能の設定値が１組の設定値変更スイッチで複数の設定値を切替可能とした操作スイッチ機構にあっては、変更したい設定を切替可能な状態にするのに、複数回スイッチを操作しなければならなかった。【解決手段】本件は、設定値変更スイッチの機能を切替える手段と、スイッチの機能をトイレ装置の使用している機能に関する設定の変更に自動で切替える手段とを合わせて持つことで、予め使用する機能の設定を好みの設定値にあわせられるとともに、使用して設定値が好みの値ではないと気づいた際にも、すぐに設定値を変更することを可能とする操作スイッチ機構を、多機能なトイレ装置にあっても、スイッチの形状を小型にすることなく、限られた面積で実現することを可能とする。【選択図】　図１
2004124632.tif 000002
【特許請求の範囲】
【請求項１】
１組の設定値変更スイッチに、設定切替スイッチで切替えることにより、複数の機能の設定値を変更する機能をもたせた操作スイッチ機構を有するとともに、該設定値にしたがって動作する機能を選択した際は、設定値変更スイッチで変更する対象となる設定値が、自動的に選択された該機能の設定値となるようにしたことを特徴とした、トイレ装置。
【請求項２】
請求項１にあって、１つの設定切替スイッチで、操作する毎に機能を切替えて行くことを特徴とした、トイレ装置。
【請求項３】
請求項１にあって、設定切替スイッチを機能切替スイッチと項目切替スイッチの２つに分けたことを特徴とした、トイレ装置。
【発明の詳細な説明】
【０００１】
【発明の属する技術分野】
本発明は、複数の設定値にしたがって動作する、複数の機能を有したトイレ装置にあって、機能毎の設定値を変更する操作スイッチ機構を、スイッチの形状を小型にすることなく、限られた面積で実現することを可能としたトイレ装置。
【０００２】
【従来の技術】
従来の設定しなければならない項目の少ないトイレ装置にあっては、操作する毎に設定を段階的に切替えることで設定値変更スイッチを各機能毎に１つにまとめたものもあった。あるいは１組の設定値変更スイッチを設定切替スイッチにより適宜切替えて設定するものもあった。（例えば、特許文献１参照）
【０００３】
【特許文献１】
特開２００１−１５２５１１号公報（第１図、第１２図）
【０００４】
トイレ装置の１例を図７に示す。便器１０の上に、センサーにて温度を検出することにより、ヒータにて温度をコントロールできる便座１１が設置され、コントローラ１５を内蔵した本体１３と接続されている。本体１３には、同様に温度制御された温水で、でん部を洗浄する洗浄ユニット１４、でん部を温風にて乾かす温風ユニット１６、トイレ室内を暖房する室暖ユニット１７等が収納され、また、それらユニットの動作、設定値を指示する操作スイッチ機構１が付属している。近年、トイレ装置の機能が高機能となり、例えば温度設定が、高、適、切の３段階から温度を切→３０〜４０℃で１℃毎、直接表示する方法に変わった場合、図６に示す様に、設定値変更スイッチ６を６ａ〜６ｈのように、各機能毎に上げる“＋”と下げる“−”の２つずつの設定値変更スイッチを設ける場合があった。
【０００５】
【発明が解決しようとする課題】
特許文献１の第１図に示す、設定値変更スイッチが、段階的に切り替わる１つのスイッチとした場合は、トイレ装置の機能が高機能となり、例えば温度設定が、高、適、切の３段階から温度を切→３０〜４０℃で１℃毎、直接表示する方法に変わった場合、例えば、温度を下げたいにもかかわらず、一度４０℃まで温度を上げなければならず、多数回の操作が要求されるとともに、温度を下げたいにもかかわらず、上げるという操作をしなければならないことに抵抗感があった。これを解決する手段として、各々の設定値に対し、上げる“＋”と下げる“−”の２つずつの設定値変更スイッチを設けた、図６の従来技術では、変更すべき設定値の数に対し、２倍の数の設定値変更スイッチが必要となり、設置の利便性から操作スイッチ機構の面積に制約があった場合、設定値変更スイッチが小型にならざるを得ず、使い勝手を損なっていた。
【０００６】
また、特許文献１の第１２図に示す、１組の設定値変更スイッチを設定切替スイッチにより適宜切替えて設定するものでは、使用を開始してから、該機能の設定が自分の好みの設定では無いと気づいても、変更したい設定を切替可能な状態にするのに、複数回スイッチを操作しなければならず、設定値を変更するのに手間がかかってしまっていた。
【０００７】
【課題を解決するための手段】
本発明は、設定値変更スイッチの機能を切替える手段と、スイッチの機能をトイレ装置の使用している機能に関する設定の変更に自動で切替える手段とを合わせて持つことを特徴とする。
【０００８】
【発明の実施の形態】
図１に請求項１の実施例を示す操作スイッチ機構の図を、図２にその動作のフローを示す。操作スイッチ機構１は、設定値切替スイッチ群２と設定値変更スイッチ群３、操作スイッチ群４及び表示部５が配置されている。
操作スイッチ群４には、機能の動作開始、終了を指示するスイッチ、止め４ａ、から便座入／切４ｇの各々スイッチが配置されている。設定値変更スイッチ群３には、設定値を上げるプラススイッチ３ａとマイナススイッチ３ｂが配置され、設定値切替スイッチ群２には、設定値変更スイッチ群３のスイッチがどの機能の設定を変更するかを切替える、便座スイッチ２ａから乾燥スイッチ２ｄが配置されている。また、表示部５には、設定値である便座温度表示５ａから乾燥温度表示５ｄが設けられている。
温水スイッチ２ｃが操作されると、図２のＳ１１で温水スイッチの押下を判定し、Ｓ１２へ分岐することにより、プラススイッチ３ａが押下されると、温水温度表示５ｃを１℃上げ、マイナススイッチ３ｂを操作すると温水温度表示５ｃを１℃下げる。
以下同様に、乾燥スイッチ２ｄが押下された場合はＳ１３で判定し、３ａ・３ｃの操作により、乾燥温度表示５ｄを上下し、便座スイッチ２ａが押下された場合はＳ１５で判定し、３ａ・３ｃの操作により、便座温度表示５ａを上下し、室暖入／切スイッチ２ｂが押下された場合はＳ１７で判定し、３ａ・３ｃの操作により、室暖温度表示５ｂを上下する。
ここで、おしりスイッチ４ｂ、やわらかスイッチ４ｂ、ビデスイッチ４ｃが操作され、局部の洗浄が開始された際はＳ１９で判定し、プラススイッチ３ａが押下されると、温水温度表示５ｃを１℃上げ、マイナススイッチ３ｂを操作すると温水温度表示５ｃを１℃下げる。
以下同様に、乾燥スイッチ４ｅが押下された場合はＳ２１で判定し、３ａ・３ｃの操作により、乾燥温度表示５ｄを上下し、便座入／切スイッチ４ｆが押下された場合はＳ２３で判定し、３ａ・３ｃの操作により、便座温度表示５ａを上下し、室暖入／切スイッチ４ｇが押下された場合はＳ２５で判定し、３ａ・３ｃの操作により、室暖温度表示５ｂを上下する。Ｓ２３の判定を、便座入／切スイッチ４ｆの押下（便座保温中の判定）の変わりに、トイレ装置への人体の近接を検知することで行っても良いものとする。
【０００９】
請求項２の実施例を図３に示す。図１の２ａから２ｄのスイッチの変わりに設定切替スイッチ２ｅを設け、２ｅが押下される毎に、３ａ・３ｃを操作する毎に変化する表示を５ａから順次、５ａ→５ｂ→５ｃ→５ｄ→５ａ→…と切り替え、該設定値を表示にあわせ切り替えるものとする。また、この際、操作スイッチ群４が操作された場合は、実施例１と同様、３ａ・３ｃを操作する毎に変化する設定値、表示を切替えることとする。
なお、実施例では温度設定値のみで説明しているが、例えば洗浄位置、水量、風量の変更についても同様にしても良いものとする。
【００１０】
請求項３の実施例を図４にその際の設定値変更スイッチの、機能の切替状態、表示状態の切替の遷移図を図５に示す。
トイレ装置が高機能になると、例えば吐水機能では温水温度以外に、洗浄位置、水量等複数の設定値を持つ場合がある。この際、図３の実施例の設定切替スイッチ２ｅの下位に、項目を切替える設定項目切替スイッチ２ｆを設けることで、温水の際は２ｆを押下することで温水系の複数の設定項目を順次、Ｄ１１→Ｄ１２→…と切替、また乾燥系が選択されている際はＤ２１→Ｄ２２→…のように乾燥系の複数の設定項目を順次切替えるものとする。また、表示は図４に示すように、例えば７セグメントの表示装置で設定値を、ドット表示で項目を表示しても良く、また、各々の設定値を、設定値の項目数分、個別に表示しても良いものとする。
【００１１】
【発明の効果】
本発明は上記構成により次の効果を発揮する。
設定切替スイッチを有することで、予め使用する機能の設定を好みの設定値にあわせられるとともに、操作スイッチを操作することで、設定値変更スイッチを該機能の設定値変更スイッチに自動で切替えることで、使用して設定値が好みの値ではないと気づいた際にも、すぐに設定値を変更することを可能とする操作スイッチ機構を、多機能なトイレ装置にあっても、スイッチの形状を小型にすることなく、限られた面積で実現するることを可能とする。
【図面の簡単な説明】
【図１】本発明の請求項１の実施例を示す操作スイッチ機構の図である。
【図２】本発明の請求項１の動作例を示すシーケンス図である。
【図３】本発明の請求項２の実施例を示す操作スイッチ機構の図である。
【図４】本発明の請求項３の実施例を示す操作スイッチ機構の図である。
【図５】本発明の請求項３の動作例を示す表示の遷移図である。
【図６】従来の実施例を示す操作スイッチ機構の図である。
【図７】従来の実施例を示す操作スイッチ機構の図である。
【符号の説明】
１　　　操作スイッチ機構
２　　　設定切替スイッチ群
２ａ　　便座スイッチ
２ｂ　　室暖スイッチ
２ｃ　　温水スイッチ
２ｄ　　乾燥スイッチ
２ｅ　　設定切替スイッチ
３　　　設定値変更スイッチ群
３ａ　　プラススイッチ
３ｂ　　マイナススイッチ
４　　　操作スイッチ群
４ａ　　止めスイッチ
４ｂ　　おしりスイッチ
４ｃ　　やわらかスイッチ
４ｄ　　ビデスイッチ
４ｅ　　乾燥スイッチ
４ｆ　　便座入／切スイッチ
４ｇ　　室暖入／切スイッチ
５　　　表示部
５ａ　　便座温度表示
５ｂ　　室暖温度表示
５ｃ　　温水温度表示
５ｄ　　乾燥温度表示
５ｅ　　セグメント表示
５ｆ　　ドット表示
６　　　設定値変更スイッチ部
６ａ　　便座温度プラススイッチ
６ｂ　　便座温度マイナススイッチ
６ｃ　　温水温度プラススイッチ
６ｄ　　温水温度マイナススイッチ
６ｅ　　室暖温度プラススイッチ
６ｆ　　室暖温度マイナススイッチ
６ｇ　　乾燥温度プラススイッチ
６ｈ　　乾燥温度マイナススイッチ
１０　　　便器
１１　　　便座
１２　　　便蓋
１３　　　本体
１４　　　洗浄ユニット
１５　　　コントローラ
１６　　　温風ユニット
１７　　　室暖ユニット
【図１】
2004124632.tif 000003
【図２】
2004124632.tif 000004
【図３】
2004124632.tif 000005
【図４】
2004124632.tif 000006
【図５】
2004124632.tif 000007
【図６】
2004124632.tif 000008
【図７】
2004124632.tif 000009